(57)【要約】  【課題】かばん本体と、このかばん本体の開口部に設けられたかぶせと、このかぶせの先端側を前記かばん本体に係脱させる錠前とを具備したかばんにおいて、外観をシンプルにするのが難しいという課題、および外観を整えようとすると錠前の操作性が損なわれるという課題を同時に解消する。  【解決手段】錠前３を、かぶせの内側に設けられたかぶせ側の錠前要素４と、かばん本体に設けられた本体側の錠前要素５とを備えたものにし、前記錠前要素４、５同士の係脱を操作する操作部３１を、前記錠前要素４、５同士の係合位置Ｋに対して所定距離ｄだけ先端側に離間させて配する。【選択図】図６
2019180872.tif 000002
【特許請求の範囲】
【請求項１】
かばん本体と、このかばん本体の開口部に設けられたかぶせと、このかぶせの先端側を前記かばん本体に係脱させる錠前とを具備したかばんにおいて、
前記錠前を、前記かぶせの内側に設けられたかぶせ側の錠前要素と、前記かばん本体に設けられた本体側の錠前要素とを備えたものにし、
前記錠前要素同士の係脱を操作する操作部を、前記錠前要素同士の係合位置に対して所定距離だけ先端側に離間させて配していることを特徴とするかばん。
【請求項２】
前記錠前が、対をなす操作部をつまむことにより係脱を操作し得るようにしたものである請求項１記載のかばん。
【請求項３】
前記操作部の少なくとも一部が、前記かぶせの先端より外側に突出している請求項１又は２記載のかばん。
【請求項４】
前記かぶせの内側に配したかぶせ側の錠前要素と、この錠前要素に対応させて前記かぶせの外側に配したかぶせプレートとを相互に結合したものであって、
前記かぶせプレートが、前記錠前を施錠する際に指をかける縁を他の縁よりも厚くしたものである請求項１、２又は３記載のかばん。
【請求項５】
前記本体側の錠前要素が、前記かぶせ側の錠前要素を受け入れる挿入口を有するものであり、
前記挿入口を形成する壁部が、当該挿入口の開口面積が入口側に向かって漸次大きくなるように傾斜させてある請求項１、２、３又は４記載のかばん。
【発明の詳細な説明】
【技術分野】
【０００１】
本発明は、ランドセル等のかばんに関するものである。
【背景技術】
【０００２】
従来この種のかばんとして、かばん本体と、このかばん本体の開口部に設けられたかぶせと、このかぶせの先端側を前記かばん本体に係脱させる錠前とを具備したものが知られている（例えば、特許文献１参照）。
【０００３】
ところが、前記かばんは、前記錠前がかぶせの外側に配設されている。そのため、外観のシンプルさを追求するのが難しい。
【０００４】
錠前をかぶせの内側に配したものも考えられるが、従来の錠前をそのまま内側に配置すると、操作部がかぶせとかばん本体との隙間の奥に位置することになり、操作部に対する操作が難しくなる。
【先行技術文献】
【特許文献】
【０００５】
【特許文献１】登録実用新案公報第３１１８９２１号
【発明の概要】
【発明が解決しようとする課題】
【０００６】
本発明は、外観をシンプルにするのが難しいという課題、および外観を整えようとすると錠前の操作性が損なわれるという課題を同時に解消することを目的としている。
【課題を解決するための手段】
【０００７】
請求項１記載の発明に係るかばんは、かばん本体と、このかばん本体の開口部に設けられたかぶせと、このかぶせの先端側を前記かばん本体に係脱させる錠前とを具備したかばんにおいて、前記錠前を、前記かぶせの内側に設けられたかぶせ側の錠前要素と、前記かばん本体に設けられた本体側の錠前要素とを備えたものにし、前記錠前要素同士の係脱を操作する操作部を、前記錠前要素同士の係合位置に対して所定距離だけ先端側に離間させて配しているものである。
【０００８】
請求項２記載の発明に係るかばんは、請求項１記載の構成のものにおいて、前記錠前が、対をなす操作部をつまむことにより係脱を操作し得るようにしたものである。
【０００９】
請求項３記載の発明に係るかばんは、請求項１又は２記載の構成のものにおいて、前記操作部の少なくとも一部が、前記かぶせの先端より外側に突出しているものである。
【００１０】
請求項４記載の発明に係るかばんは、請求項１、２又は３記載の構成のものにおいて、前記かぶせの内側に配したかぶせ側の錠前要素と、この錠前要素に対応させて前記かぶせの外側に配したかぶせプレートとを相互に結合したものであって、前記かぶせプレートが、前記錠前を施錠する際に指をかける縁を他の縁よりも厚くしたものである。
【００１１】
請求項５記載の発明に係るかばんは、請求項１、２、３又は４記載の構成のものにおいて、前記本体側の錠前要素が、前記かぶせ側の錠前要素を受け入れる挿入口を有するものであり、前記挿入口を形成する壁部が、当該挿入口の開口面積が入口側に向かって漸次大きくなるように傾斜させてあるものである。
【発明の効果】
【００１２】
本発明によれば、外観をシンプルにするのが難しいという課題、および外観を整えようとすると錠前の操作性が損なわれるという課題を同時に解消することができる。
【図面の簡単な説明】
【００１３】
【図１】本発明の一実施形態に係るランドセルを示す全体斜視図。
【図２】同実施形態に係るランドセルを示す全体斜視図。
【図３】同実施形態に係るランドセルを示す平面図。
【図４】図３におけるＡ部拡大図。
【図５】図３におけるＢ部拡大図。
【図６】同実施形態に係る錠前の施錠状態を示す斜視図。
【図７】同実施形態に係る錠前の解錠状態を示す斜視図。
【図８】同実施形態に係る錠前の分解斜視図。
【図９】同実施形態に係る錠前の分解斜視図。
【図１０】同実施形態に係る錠前の分解斜視図。
【図１１】同実施形態に係る錠前の作動説明図。
【図１２】他の実施形態に係る本体側の錠前要素を示す斜視図。
【発明を実施するための形態】
【００１４】
本実施形態は、本発明をかばんの一つであるランドセルＲに適用した場合のものである。
【００１５】
このランドセルＲは、図１〜図３に示すように、かばん本体１と、このかばん本体１の開口部１ａに設けられたかぶせ２と、このかぶせ２の先端２ａ側を前記かばん本体１に係脱させる錠前３とを具備する。
【００１６】
前記かばん本体１は、図１及び図２に示すように、大マチ部１１と小マチ部１３と前ポケット１５とを備えた箱状のもので、上端に開口部１ａを有しており、背当て側にショルダーベルト１７が設けられている。このかばん本体１は、通常の構成のものであるため、詳細な説明は省略する。
【００１７】
前記かぶせ２は、前記かばん本体１の開口部１ａを開閉すべく設けられたもので、前記錠前３を介してその先端２ａ側を前記かばん本体１に係脱させ得るようになっている。
【００１８】
前記錠前３は、図２、図３、図６〜図８及び図１０に示すように、前記かぶせ２の内側に設けられたかぶせ側の錠前要素４と、前記かばん本体１に設けられた本体側の錠前要素５とを備えている。
【００１９】
前記かぶせ側の錠前要素４は、図４及び図６〜図１０に示すように、対をなすフック２１と、これらフック２１を先端側が接離する方向に回動可能に支持するかぶせ側の支持体２３と、前記フック２１を互いに離間する方向に付勢するねじりコイルばね２５と、前記フック２１の基端側及び前記ねじりコイルばね２５を隠すべく前記支持体２３に装着されたフェイスカバー２７とを具備してなる。
【００２０】
前記各フック２１は、主に図８に示すように、基端部に軸孔２１ａを有した板状のもので、中間部の外側縁に前記本体側の錠前要素５に係合する係合部２９を一体に有するとともに、先端部の外側縁に操作部３１を一体に備えている。また、各フック２１の中間部内側縁には、前記ねじりコイルばね２５を係合させるためのばね掛け３３が設けられている。前記係合部２９は、施錠時に後述する本体側の錠前要素５のゲート３５に案内されて前記フック２１を相寄る方向に付勢するための傾斜案内縁２９ａと、施錠完了時に前記ゲート３５の先端側の縁すなわち下縁５５ｂに係合する係合縁２９ｂとを有するものである。前記操作部３１は、前記フック２１の先端外側縁からほぼ直角に延出するもので、これら両操作部３１をつまむことにより前記両フック２１を前記ねじりコイルばね２５の付勢力に抗して相寄る方向に回動させることができるようになっている。そして、操作部３１の一部が、前記かぶせ２の先端２ａより外側に突出している。
【００２１】
前記かぶせ側の支持体２３は、主に図８及び図９に示すように、前記かばん本体１に対向する外面に摩擦低減用の突条３７ａを備えたバックカバー３７と、前記フック２１が前記バックカバー３７側に振れて傷がつくことを防ぐべく前記バックカバー３７と前記フェイスカバー２７との間に設けられたミドルベース４１とを具備してなる。
【００２２】
前記バックカバー３７は、基端部両側縁に前記かぶせ２に取り付けるための取付孔４３ａを有する取付台座４３を有している。
【００２３】
前記ミドルベース４１は、図８に示すように、前記フェイスカバー２７に衝き当たるスペーサ４５を備えているとともに、その下端部の両側縁には、図８及び図９に示すように前記フック２１のばたつきを規制するための規制突起４１ａが設けられている。さらに、前記ミドルベース４１の背面には、図９に示すように、このミドルベース４１のがたつきを防ぐべく前記バックカバー３７の内面に弾性的に当接して当該ミドルベース４１を前記フェイスカバー２７側に付勢する弾性突起４１ｂが設けられている。
【００２４】
前記フェイスカバー２７は、主に図６〜図９に示すように、前記バックカバー３７の内面を覆う形態のもので、基端部両側縁に前記かぶせ２に取り付けるための取付孔４９ａを有する取付台座４９を有しているとともに、基端近傍部に、前記ミドルベース４１に設けた位置決め突起４７と係合する窓２７ａを有する。前記窓２７ａの下方には切り起し片２７ｂが設けられている。この切り起し片２７ｂ及び前記位置決め突起４７は、後述するかぶせプレート６付近の革製のかぶせ２が変形して当該かぶせプレート６の下に指が潜り込むのを防ぐべく設けられたものである。
【００２５】
そして、図８及び図９に示すように、前記フェイスカバー２７に軸３９が固定されており、この軸３９に前記フック２１の軸孔２１ａを回動可能に嵌合させるとともに、前記軸３９に巻装した前記ねじりコイルばね２５の先端２５ａを前記両フック２１のばね掛け３３に掛止させており、前記ねじりコイルばね２５の弾性力によりこれらのフック２１を先端側が離間する方向に回動付勢している。前記軸３９の固定は、その基端部３９ａを前記フェイスカバー２７にかしめつけることにより行われている。
【００２６】
以上説明したかぶせ側の錠前要素４は、前記かぶせ２の外側に配したかぶせプレート６と協働して前記かぶせ２の内側に取り付けられている。すなわち、この錠前３は、図１、図２、図６及び図７に示すように、前記かぶせ２の内側に配したかぶせ側の錠前要素４と、この錠前要素４に対応させて前記かぶせ２の外側に配したかぶせプレート６とをリベットＳ等の止着具を介して相互に結合したものである。前記かぶせプレート６は、前記錠前３を施錠する際に指をかける縁すなわち上縁６ａを他の縁よりも厚くした板状のものである。このかぶせプレート６の両端部に貫通させたリベットＳは、前記かぶせ２を貫通して前記フェイスカバー２７及び前記バックカバー３７の取付孔４３ａ、４９ａに挿通させてあり、その挿通端をかしめることにより、これらかぶせプレート６とかぶせ側の錠前要素４とを結合している。
【００２７】
一方、前記本体側の錠前要素５は、図５〜図８及び図１０に示すように、ゲート３５と、このゲート３５を支持する本体側の支持体５１と、これらゲート３５及び支持体５１との間に形成され前記かぶせ側の錠前要素４を受け入れる挿入口５ａとを具備してなる。
【００２８】
前記ゲート３５は、図６〜図８及び図１０に示すように、前面側の壁部５３と、この前面側の壁部５３の両端に連続して設けられた側面側の壁部５５とを備えたもので、これら壁部５３、５５に囲まれた空間が前記挿入口５ａとして機能している。前記両側面側の壁部５５の後端には取付用の突片５７が設けられている。なお、この実施形態では、前記挿入口５ａを形成する壁部５３、５５が、当該挿入口５ａの開口面積が入口側に向かって漸次大きくなるように傾斜させてある。具体的には、前記前面側の壁部５３の上半部５３ａが前方に屈曲するように傾斜させてあるとともに、前記両側面側の壁部５５の上半部５５ａが上方に向かって漸次離間する方向に傾斜させてある。また、前記両側面側の壁部５５の先端側の縁すなわち下縁５５ｂは、施錠状態で前記フック２１の係合部２９の係合縁２９ｂと係合する。前記錠前要素４、５同士の係合位置Ｋに対して、前記錠前要素４、５同士の係脱を操作する前記操作部３１は、所定距離ｄだけ先端側に離間させて配されている。前記所定距離ｄは、正の値に設定されている距離であり、前記係合位置Ｋと前記操作部３１との間には、前記係合部２９等を配するための離間幅が設定されている。なお、この実施形態における「係合位置Ｋ」とは、前記両側面側の壁部５５の下縁５５ｂと前記フック２１の係合縁２９ｂとが係合する位置を意味している。そして、前記対をなす操作部３１をつまむことにより、前記フック２１の係合部２９の係合縁２９ｂと前記両側面側の壁部５５の下縁５５ｂとの係合状態を解除できるようになっている。換言すれば、この錠前３は、対をなす操作部３１をつまむことにより、当該錠前３の係脱を操作し得るようにしたものである。
【００２９】
前記本体側の支持体５１は、主に図１０に示すように、摩擦軽減用の突条５９ａを有する本体側カバー５９と、この本体側カバー５９の背面に添設された本体側フットプレート６１と、この本体側フットプレート６１の背面側に配された本体側アンダープレート６３とを具備してなる。
【００３０】
前記本体側カバー５９は、前記ゲート３５と協働して前記挿入口５ａを形成する板状のもので、両端部に前記ゲート３５の突片５７を挿通させるためのスリット５９ｓが設けられている。
【００３１】
前記本体側フットプレート６１は、両端部に前記本体側カバー５９のスリット５９ｓに合致するスリット６１ｓを備えた板状のもので、上縁及び下縁にかばん本体１に取り付けるための取付片６５が突設されている。
【００３２】
前記本体側アンダープレート６３は、前記本体側カバー５９及び前記本体側フットプレート６１の背面を覆う板状のもので、前記取付片６５を挿通させるためのスリット６３ｓを備えている。
【００３３】
前記本体側の支持体５１と前記ゲート３５との取り付けは、前記ゲート３５の突片５７を前記本体側カバー５９及び前記本体側フットプレート６１の各スリット５９ｓ、６１ｓに貫通させた上でその貫通端を塑性変形させることにより行われている。図１０においては、前記突片５７や前記取付片６５を塑性変形させる前の状態を図示してある。
【００３４】
なお、以上説明した実施形態の説明に使用した図１は、錠前３を施錠した状態のランドセルＲ全体を示す斜視図であり、図２は、錠前３を解錠した状態のランドセルＲ全体を示す斜視図である。図３は、かぶせ２を全開にした状態を示すランドセルＲの概略正面図であり、図４は図３におけるＡ部拡大図、図５は同Ｂ部拡大図である。図６は、施錠状態の錠前３を斜め下方から観察した斜視図であり、図７は、解錠状態の錠前３を斜め下方から観察した斜視図である。なお、図６と図７は、かぶせ２やかばん本体１を省略し、かぶせプレート６とかぶせ側の錠前要素４とが結合される前の状態を示している。図８は、かぶせ側の錠前要素４を分解して内部を示す分解斜視図であり、本体側の錠前要素５は分解しない状態で図示してある。図９は、かぶせ側の錠前要素４を分解して背面下側から内部を示す分解斜視図である。図１０は、本体側の錠前要素５を分解して内部を示す分解斜視図であり、かぶせ側の錠前要素４は分解しない状態で図示してある。図１１の（ａ）〜（ｅ）は、錠前３の作動を説明するための説明図である。
【００３５】
次いで、この錠前３の作動を図１１に基づいて説明する。
【００３６】
図１１の（ａ）は、図７に対応するもので、錠前３が解錠状態にある。この状態から、前記かぶせプレート６の上縁６ａに手指を掛けてかぶせ側の錠前要素４を本体側の錠前要素５の挿入口５ａに向けて押し込むことにより図１１の（ｂ）及び同図の（ｃ）の状態を経て、同図の（ｄ）の施錠状態となる。すなわち、かぶせ側の錠前要素４を下方（矢印Ｘ方向）に移動させて本体側の錠前要素５に挿入し始めた段階で、図１１の（ｂ）に示すように、かぶせ側の錠前要素４の両フック２１の係合部２９が本体側の錠前要素５の側面側の壁部５５の上半部５５ａに接触する。この状態からかぶせ側の錠前要素４を下方（矢印Ｘ方向）に移動させて本体側の錠前要素５により深く挿入していくと、図１１の（ｃ）に示すように、前記壁部５５の上半部５５ａと前記係合部２９の傾斜案内縁２９ａとの相互案内作用により、前記両フック２１が相寄る方向（矢印α方向）に回動させられるようになる。そして、さらにかぶせ側の錠前要素４を下方（矢印Ｘ方向）に移動させると、図１１の（ｄ）に示すように、前記かぶせ側の錠前要素４のフック２１に設けられた係合部２９が前記本体側の錠前要素５のゲート３５を通過し終わることになり、前記側面側の壁部５５による拘束が解かれて前記両フック２１がねじりコイルばね２５の付勢力により一気に離間方向に回動することになり、これら両フック２１の係合部２９における係合縁２９ｂが前記ゲート３５の側面側の壁部５５の下縁５５ｂに係合して施錠状態となる。この施錠状態から図１１の（ｅ）に示すように、両操作部３１をつまんで両フック２１を相寄る方向（矢印β方向）に操作すると、前記両フック２１の係合部２９がゲート３５内に収まる位置に没入する。そのため、この操作状態を維持したままかぶせ側の錠前要素４を上方（矢印Ｙ方向）に抜き上げることにより、錠前３を解錠することができる。
【００３７】
以上に述べた構成によれば、かぶせ２の内側にかぶせ側の錠前要素４を配したので、錠前３がランドセルＲの外面に大きく露出することを抑制することができ、外観をシンプルなものにすることができる。
【００３８】
しかも、操作部３１をかぶせ側の錠前要素４の先端側に設けているので、かぶせ側の錠前要素４をかぶせ２の内面に設けても、操作性が損なわれることを防止又は抑制することができる。すなわち、操作部３１を錠前要素４、５同士の係合位置Ｋよりも先端側に位置させているので、錠前３の大部分を隠蔽した状態で操作部３１のみをかぶせ２の先端２ａ付近に配置することができる。そのため、外観のシンプルさを損ねることなしに、操作性を向上させることが可能となる。この実施形態では、操作部３１のみをかぶせ２の先端２ａよりも外方に突出させ、施錠状態で操作部３１以外の部分を隠蔽できるようにしているので、外観のシンプルさと操作性の良好さを両立させることができる。
【００３９】
さらに、従来のランドセルの多くは錠前がかぶせの外側かつランドセルの底面に配されていることが多く、このようなランドセルを使用者である児童が背負った状態では保護者から錠前が確認できず、保護者が解錠する場合手探りで錠前を探す必要があった。これに対し、本実施形態の構成では、ランドセルＲを児童が背負った状態でも錠前３の（特に操作部３１の）位置を保護者が視認できるので、ランドセルＲを児童が背負った状態で保護者が錠前３を解錠することができる。
【００４０】
また、操作部３１を錠前要素４、５同士の係合位置Ｋに対して先端側に所定距離ｄだけ離間させて配しているので、操作する指が係合部２９に触れる可能性を低減させることができ、安全性を向上させることもできる。
【００４１】
さらに、この実施形態では、対をなす操作部３１をつまむことにより係脱を操作し得るようにしているので、操作が簡単であり、その一方で、対をなす操作部３１をつままないと解錠できないようにしているので、外部からの作用により施錠状態が意図せず解除されることが起こりにくい。加えて、従来の錠前がかぶせの外側にあるランドセルでは、錠前が大きく露出しているため他の児童にいたずら等により解錠される恐れがあったが、本実施形態の構成では、錠前３は操作部３１の一部のみが露出しており、対をなす操作部３１をつままないと解錠できないようにしていることと併せて、いたずらで解錠される不具合の発生を抑制することもできる。
【００４２】
加えて、かぶせプレート６の上縁６ａを他の縁より厚くしているので、別途の指掛部材を設けることなく、かぶせプレート６の上縁６ａに指を掛けて容易に施錠操作を行うことができる。
【００４３】
そして、本体側の錠前要素５における挿入口５ａを形成する壁部５３、５５を、挿入口５ａの開口面積が入口側に向かって漸次大きくなるよう傾斜させてあるので、かぶせ側の錠前要素４を本体側の錠前要素５に挿入しやすい。
【００４４】
なお、本発明は以上に述べた実施形態に限らない。
【００４５】
例えば、ランドセル以外のかばんに本発明を適用してもよい。
【００４６】
また、かぶせは、真上からかばん本体にかぶせるものに限らず、例えば斜め上方からかばん本体に重なり合わせるようなものにする等、種々変形が可能である。
【００４７】
一方、錠前は、かぶせ側の錠前要素と、本体側の錠前要素とを係脱させるようなものであれば、どのようなものであってもよく、その係脱を操作するための操作部も、どのようなものであってもよく、例えば、前述した実施形態のようにかぶせ側に設ける代わりに、本体側に設けてもよい。また、操作部自体の構造も、前述した実施形態のもの、すなわち対をなす操作部をつまむことにより係脱を操作し得るようにする構造のものの他に、ボタンを押圧する操作により係脱を操作し得るようにする構造等、他の構造を採用してもよい。
【００４８】
また、前記実施形態では、操作部の一部をかぶせの先端より外側に突出させているが、操作部の全体をかぶせの先端よりも外側に突出させたり、操作部の全体をかぶせの先端部の内側に配したりしてもよい。これらのようなものであっても、操作部が先端側に設けられているため、操作性が損なわれるのを防止又は抑制することができる。
【００４９】
さらに、本発明には、かぶせプレート全体を指を掛けることができる程度に厚手のものにしたものも含まれているが、前記実施形態のように、前記かぶせプレートの上縁を他の縁よりも厚くしておけば、かぶせプレートを全体的には薄いものにしつつ、施錠の際の操作性を改善することができ、また、軽量化を図ることも可能となる。
【００５０】
そして、本発明には、本体側の錠前要素の挿入口を入口側に向かって漸次大きくしていないものも含まれるが、前記実施形態のように、前記挿入口を入口側に向かって漸次大きくしておけば、施錠動作を円滑に行うことができる。なお、挿入口を入口側に向かって漸次大きくする手段としては、前記実施形態のように、壁部の一部のみを傾斜させるものに限らず、壁部の全体を傾斜させるものであってもよい。
【００５１】
加えて、本体側の錠前要素は、前記実施形態のように、前面側の壁部と、この前面側の壁部の両端に連続して設けられた側面側の壁部とを備えたゲートを有するものに限らず、例えば、図１２に示すような錠前要素Ａ５であってもよい。この錠前要素Ａ５は、前記実施形態の本体側の錠前要素５における前面側の壁部５３の中間部分をなくした形態をなすものである。なお、前記図１２において、前記実施形態と同一又は相当する部分には同一の符号を付して説明を省略する。
【００５２】
その他、本発明の趣旨を損ねない範囲で種々に変形してよい。
【符号の説明】
【００５３】
Ｒ…かばん（ランドセル）
１…かばん本体
２…かぶせ
３…錠前
４…かぶせ側の錠前要素
５、Ａ５…本体側の錠前要素
３１…操作部
Ｋ…係合位置
ｄ…所定距離
【図１】
2019180872.tif 000003
【図２】
2019180872.tif 000004
【図３】
2019180872.tif 000005
【図４】
2019180872.tif 000006
【図５】
2019180872.tif 000007
【図６】
2019180872.tif 000008
【図７】
2019180872.tif 000009
【図８】
2019180872.tif 000010
【図９】
2019180872.tif 000011
【図１０】
2019180872.tif 000012
【図１１】
2019180872.tif 000013
【図１２】
2019180872.tif 000014